(57)【要約】【課題】弾性が調整できるショックアブソーバを持つ靴の構造を提供する。【解決手段】靴の底部を形成しているかかとに緩衝機構を嵌め込む。その緩衝機構は、下受け板、緩衝コンポーネント及び上活動板等の要素から構成される。緩衝コンポーネントは、ヘッド台座、弾性パイプ、エンドソケット、コネクタ、枢設接続台座、ノブ、セットスクリュー、上振れアーム、下振れアームなどの要素を含んで構成され、かかとの後ろのノブを回すと、コネクタが弾性パイプを圧縮し、又は緩められ、弾性パイプの緩衝弾力を増加又は低減させ、靴の弾性，緩衝効果を得る。【選択図】      図３
0003108444.tif 000002
【実用新案登録請求の範囲】
【請求項１】
靴の底部を形成しているうちのかかとに緩衝機構を嵌め込んで弾性を調整できるようにしたショックアブソーバを持つ靴の構造において、
前記緩衝機構は、下受け板、緩衝コンポーネント及び上活動板を有し、
前記下受け板の前端には、前記靴の底部の長手方向と直交し、かつ、その底部の面と平行する方向の軸孔が設けられ、その下受け板の前方の中間には凹んだノッチが設けられ、そのノッチの後方で、上へ向かった後方横壁が設けられ、その後方横壁には、上記と同方向の軸孔が設けられ、
前記上活動板は、ほぼ下受け板に対応するように設けられ、その上活動板の前端にも、上記と同方向の軸孔が設けられるとともに、その真中に凹入溝が設けられ、その凹入溝の後方で、下へ向かった突出横壁が設けられ、その突出横壁には上記と同方向の軸孔が設けられ、
前記緩衝機構の組立体は、ホールピンで、前記上活動板の軸孔、下受け板の軸孔及びヘッド台座の軸孔を通過させて下受け板及び上活動板を回動自在に軸支し、下のホールピンで、順に、緩衝コンポーネントの下振れアームの軸孔及び下受け板の後方横壁の軸孔を通過させ、その緩衝コンポーネントの両側における下振れアームを下受け板の後方横壁に回動自在に軸支し、上のホールピンで、順に、上活動板の突出横壁の軸孔及び緩衝コンポーネントの上振れアームの軸孔を通過させ、その緩衝コンポーネントの両側における上振れアームを上受け板の突出横壁に回動自在に軸支し、
前記緩衝コンポーネントは、ヘッド台座、弾性パイプ、エンドソケット、コネクタ、枢設接続台座、ノブ、セットスクリュー、上振れアーム、下振れアームを含み、
前記ヘッド台座の一方には、上記と同方向の軸孔を持つパイプが設けられ、そのパイプの他方の中心に縦方向のスクリューホールを持つ挿入ジョイントを有し、
前記弾性パイプは、弾性体からなる円形のパイプからなり、
前記エンドソケットは、縦方向のスクリューホールを有し、その後方に挿入ジョイントを有し、
前記コネクタの中心には、非円形の噛み合う孔を有し、その後方には、少し小さい直径のスクリューを有し、
前記枢設接続台座の中央には、貫通孔が設けられ、その両側には、対向するように一対の円柱を有し、
前記ノブの中心には貫通孔を有し、その中部にはフランジを有し、その尾端には非円形の雄ジョイントを有し、
前記上振れアーム及び下振れアームには、それぞれ貫通孔及び軸孔を有し、
前記緩衝コンポーネントの組立ては、前記エンドソケット及びコネクタを締め付け、その次にセットスクリューで、順に、前記ノブ、枢設接続台座、コネクタ、エンドソケット及び弾性パイプを直列に接続し、前記ヘッド台座の挿入ジョイント位置に組立て、さらに、前記枢設接続台座の両側の円柱には、それぞれ一対の上振れアーム、下振れアームを取付けるとともに、ねじで締め付けられるものである、
ことを特徴とする靴の構造。
【請求項２】
請求項１に記載の靴の構造において、弾性パイプは、弾性を持つウレタンゴム又は弾性ゴム、プラスチック材料又は圧縮スプリングからなることを特徴とする靴の構造。
【請求項３】
請求項１又は２に記載の靴の構造において、ホールピン、下ホールピン、上ホールピンを組み立てた後で、ねじで締め付けて又はリベット方式でセットすることを特徴とする靴の構造。
【考案の詳細な説明】
【技術分野】
【０００１】
本考案は靴の構造に係り、特に、ショックアブソーバを持つ靴の構造に関する。
【背景技術】
【０００２】
従来、ショックアブソーバを持つ靴の構造は、主に、靴の底部の適当な位置に、ウレタンゴム、エアパッド、水パッド等からなる緩衝ユニットを埋め込むようにしている。
【特許文献１】特になし。
【考案の開示】
【考案が解決しようとする課題】
【０００３】
しかしながら、上記従来のショックアブソーバを持つ靴の構造は、ゴム、エアパッド又は水パッド等からなるので、簡単でコストも安いが、上述のゴム等からなる弾性の許容度が高くないという欠点があった。
【０００４】
そこで、本考案は、上記欠点を解決するためになされたものであって、その目的は、ショックアブソーバの弾性力を自由に調整することのできる靴の構造を提供することにある。
【課題を解決するための手段】
【０００５】
本考案に係る靴の構造は、上記目的を達成するために、請求項１に記載の考案は、靴の底部を形成しているうちのかかとに緩衝機構を嵌め込んで弾性を調整できるようにしたショックアブソーバを持つ靴の構造において、前記緩衝機構は、下受け板、緩衝コンポーネント及び上活動板を有し、前記下受け板の前端には、前記靴の底部の長手方向と直交し、かつ、その底部の面と平行する方向の軸孔が設けられ、その下受け板の前方の中間には凹んだノッチが設けられ、そのノッチの後方で、上へ向かった後方横壁が設けられ、その後方横壁には、上記と同方向の軸孔が設けられ、前記上活動板は、ほぼ下受け板に対応するように設けられ、その上活動板の前端にも、上記と同方向の軸孔が設けられるとともに、その真中に凹入溝が設けられ、その凹入溝の後方で、下へ向かった突出横壁が設けられ、その突出横壁には上記と同方向の軸孔が設けられ、前記緩衝機構の組立体は、ホールピンで、前記上活動板の軸孔、下受け板の軸孔及びヘッド台座の軸孔を通過させて下受け板及び上活動板を回動自在に軸支し、下のホールピンで、順に、緩衝コンポーネントの下振れアームの軸孔及び下受け板の後方横壁の軸孔を通過させ、その緩衝コンポーネントの両側における下振れアームを下受け板の後方横壁に回動自在に軸支し、上のホールピンで、順に、上活動板の突出横壁の軸孔及び緩衝コンポーネントの上振れアームの軸孔を通過させ、その緩衝コンポーネントの両側における上振れアームを上受け板の突出横壁に回動自在に軸支し、前記緩衝コンポーネントは、ヘッド台座、弾性パイプ、エンドソケット、コネクタ、枢設接続台座、ノブ、セットスクリュー、上振れアーム、下振れアームを含み、前記ヘッド台座の一方には、上記と同方向の軸孔を持つパイプが設けられ、そのパイプの他方の中心に縦方向のスクリューホールを持つ挿入ジョイントを有し、前記弾性パイプは、弾性体からなる円形のパイプからなり、前記エンドソケットは、縦方向のスクリューホールを有し、その後方に挿入ジョイントを有し、前記コネクタの中心には、非円形の噛み合う孔を有し、その後方には、少し小さい直径のスクリューを有し、前記枢設接続台座の中央には、貫通孔が設けられ、その両側には、対向するように一対の円柱を有し、前記ノブの中心には貫通孔を有し、その中部にはフランジを有し、その尾端には非円形の雄ジョイントを有し、前記上振れアーム及び下振れアームには、それぞれ貫通孔及び軸孔を有し、前記緩衝コンポーネントの組立ては、前記エンドソケット及びコネクタを締め付け、その次にセットスクリューで、順に、前記ノブ、枢設接続台座、コネクタ、エンドソケット及び弾性パイプを直列に接続し、前記ヘッド台座の挿入ジョイント位置に組立て、さらに、前記枢設接続台座の両側の円柱には、それぞれ一対の上振れアーム、下振れアームを取付けるとともに、ねじで締め付けられるものである、ことを特徴としている。
本考案の請求項２に記載の靴の構造は、弾性パイプは、弾性を持つウレタンゴム又は弾性ゴム、プラスチック材料又は圧縮スプリングからなることを特徴としている。
本考案の請求項３に記載の靴の構造は、ホールピン、下ホールピン、上ホールピンを組み立てた後で、ねじで締め付けて又はリベット方式でセットすることを特徴としている。
【考案の効果】
【０００６】
本考案の請求項１に記載の靴の構造は、靴の底部を形成しているうちのかかとに緩衝機構を嵌め込んで弾性を調整できるようにしたショックアブソーバを持つ靴の構造において、前記緩衝機構は、下受け板、緩衝コンポーネント及び上活動板を有し、前記下受け板の前端には、前記靴の底部の長手方向と直交し、かつ、その底部の面と平行する方向の軸孔が設けられ、その下受け板の前方の中間には凹んだノッチが設けられ、そのノッチの後方で、上へ向かった後方横壁が設けられ、その後方横壁には、上記と同方向の軸孔が設けられ、前記上活動板は、ほぼ下受け板に対応するように設けられ、その上活動板の前端にも、上記と同方向の軸孔が設けられるとともに、その真中に凹入溝が設けられ、その凹入溝の後方で、下へ向かった突出横壁が設けられ、その突出横壁には上記と同方向の軸孔が設けられ、前記緩衝機構の組立体は、ホールピンで、前記上活動板の軸孔、下受け板の軸孔及びヘッド台座の軸孔を通過させて下受け板及び上活動板を回動自在に軸支し、下のホールピンで、順に、緩衝コンポーネントの下振れアームの軸孔及び下受け板の後方横壁の軸孔を通過させ、その緩衝コンポーネントの両側における下振れアームを下受け板の後方横壁に回動自在に軸支し、上のホールピンで、順に、上活動板の突出横壁の軸孔及び緩衝コンポーネントの上振れアームの軸孔を通過させ、その緩衝コンポーネントの両側における上振れアームを上受け板の突出横壁に回動自在に軸支し、前記緩衝コンポーネントは、ヘッド台座、弾性パイプ、エンドソケット、コネクタ、枢設接続台座、ノブ、セットスクリュー、上振れアーム、下振れアームを含み、前記ヘッド台座の一方には、上記と同方向の軸孔を持つパイプが設けられ、そのパイプの他方の中心に縦方向のスクリューホールを持つ挿入ジョイントを有し、前記弾性パイプは、弾性体からなる円形のパイプからなり、前記エンドソケットは、縦方向のスクリューホールを有し、その後方に挿入ジョイントを有し、前記コネクタの中心には、非円形の噛み合う孔を有し、その後方には、少し小さい直径のスクリューを有し、前記枢設接続台座の中央には、貫通孔が設けられ、その両側には、対向するように一対の円柱を有し、前記ノブの中心には貫通孔を有し、その中部にはフランジを有し、その尾端には非円形の雄ジョイントを有し、前記上振れアーム及び下振れアームには、それぞれ貫通孔及び軸孔を有し、前記緩衝コンポーネントの組立ては、前記エンドソケット及びコネクタを締め付け、その次にセットスクリューで、順に、前記ノブ、枢設接続台座、コネクタ、エンドソケット及び弾性パイプを直列に接続し、前記ヘッド台座の挿入ジョイント位置に組立て、さらに、前記枢設接続台座の両側の円柱には、それぞれ一対の上振れアーム、下振れアームを取付けるとともに、ねじで締め付けられるので、靴の弾性力を自由に調整することができ、弾性の許容度を高めることができる。
本考案の請求項２に記載の靴の構造において、弾性パイプは、弾性を持つウレタンゴム又は弾性ゴム、プラスチック材料又は圧縮スプリングからなるので、弾性パイプを容易に得ることができる。
本考案の請求項３に記載の靴の構造は、ホールピン、下ホールピン、上ホールピンを組み立てた後で、ねじで締め付けて又はリベット方式でセットするので、簡単に組み立てることができる。
【考案を実施するための最良の形態】
【０００７】
図１は、本考案に係る靴の構造を組込んだ靴１０の正面図で、この靴１０のショックアブソーバとして、靴１０の底部１１のヒール（かかと）１２の部分に、緩衝機構２０を嵌め込んで構成されている。この緩衝機構２０を図２，図３及び図４を用いて説明すると、このショックアブソーバの機能を果たす緩衝機構２０は、下受け板２１、緩衝コンポーネント３０及び上活動板２２などの要素から構成されている。
【０００８】
靴１０のヒール１２とほぼ同じ平面積を有する下受け板２１の前端（靴１０の爪先側の端）には、靴１０の底部１１の長手方向と直交する方向と同方向に設けられ、かつ、その底部１１の面と平行するように設けられた軸孔２１１が貫通して設けられ、その軸孔２１１の中間には、凹んだノッチ２１２が設けられている。そして、そのノッチ２１２の後方で、下受け板２１の後端には、上へ向かって突出した後方横壁（突出横壁）２１３が設けられていて、その後方横壁２１３には、軸孔２１１と同方向の軸孔２１４が設けられている。
【０００９】
上活動板２２は、その平面積がほぼ下受け板２１に対応し、その前端にも、上記軸孔２１１と同じ方向の軸孔２２１が設けられ、その軸孔２２１の中間の真中には、凹入溝２２２が設けられている。そして、その凹入溝２２の後方で上活動板２２の下へ向かって突出した突出横壁（後方横壁）２２３が設けられている。この突出横壁２２３には、軸孔２２１の孔方向と同方向の軸孔２２４が設けられている。
【００１０】
図３及び図５を用いて緩衝機構２０の組立体を説明すると、緩衝コンポーネント３０のヘッド台座３１の前端（靴１０の爪先側の端）には、上記ノッチ２４２に入る軸孔３１１を有するパイプ３１２が設けられている。この軸孔３１１は、上記軸孔２１１と同方向に形成されている。そして、上活動板２２の前端両側にそれぞれ設けられている耳翼２２５は、下受け板２１の前端両側を挾み込むように設けられ、ホールピン２２６で上活動板２２の軸孔２２１、下受け板２１の軸孔２１１及びヘッド台座３１の軸孔３１１を通過させ、これにより、緩衝コンポーネント３０は、下受け板２１及び上活動板２２が回動自在に軸支される。
【００１１】
下のホールピン２１５は、緩衝コンポーネント３０の一対の下振れアーム３９の軸孔３９２及び下受け板２１の後方横壁２１３の軸孔２１４を通過する。これにより、緩衝コンポーネント３０の両側における下振れアーム３９を下受け板２１の後方横壁２１３に回動自在に軸支することができる。
【００１２】
上のホールピン２２７は、上活動板２２の突出横壁２２３の軸孔２２４、緩衝コンポーネント３０の一対の上振れアーム３８の軸孔３８２を通過する。これにより、緩衝コンポーネント３０の両側における上振れアーム３８を上受け板２２の突出横壁２２３に回動自在に軸支することができる。
【００１３】
緩衝コンポーネント３０は、図４に示されるように、ヘッド台座３１、弾性パイプ３２、エンドソケット３３、コネクタ３４、枢設接続台座３５、ノブ３６、セットスクリュー３７、上振れアーム３８、下振れアーム３９などの要素を含んでいる。
【００１４】
ヘッド台座３１の一方（靴の爪先の方）には、上述したように、軸孔３１１を持つパイプ３１２が設けられ、その他方の中心に、縦方向（ヘッド台座３１の長手方向の軸心と同方向）のスクリューホール（ねじ孔）３１３を持つ挿入ジョイント３１４が設けられている。
【００１５】
弾性パイプ３２は、弾性を持つウレタンゴム又は弾性のゴム、あるいはプラスチック材料又は圧縮スプリング等の弾性体により作られた円形のパイプであり、エンドソケット３３には、縦方向のスクリューホール３３１が設けられ、その後方に、弾性パイプ３２の穴に入る挿入ジョイント３３２が設けられている。
【００１６】
コネクタ３４の中心には、非円形の噛み合う孔３４１が設けられ、その後方に、挿入ジョイント３３２に設けられたねじ孔３３１に螺合される少し小さい直径のスクリュー３４２が設けられている。枢設接続台座３５の中央には、貫通孔３５１が設けられていて、その両側には、対応するように、すなわち、貫通孔３５１の軸心方向と直交する方向に一対の円柱３５２が設けられている。
【００１７】
ノブ３６の中心には、貫通孔３６１が設けられていて、その中部には、フランジ３６２が設けられ、また、その尾端には、非円形の雄ジョイント３６３が設けられている。一対の上振れアーム３８及び一対の下振れアーム３９は同じで、８の字形の形状を有し、それらには、貫通孔３８１，３９１及び軸孔３８２，３９２がそれぞれ設けられている。
【００１８】
緩衝コンポーネント３０をアセンブリするときには、先ず、エンドソケット３３にセットスクリュー（棒ねじ）３７で、順に、ノブ３６、枢設接続台座３５、コネクタ３４、エンドソケット３３及び弾性パイプ３２を直列に接続するようにしてヘッド台座３１の挿入ジョイント３１４の位置に組み立てる。また、枢設接続台座３５の両側における一対の円柱３５２には、それぞれ一対の上振れアーム３８、下振れアーム３９を取り付け、さらに、ワッシャ３５３及びねじ３５４で締め付ける。その後、前述のホールピン２２６、下ホールピン２１５、上ホールピン２２７を用いた組立ての後で、ねじ２２６１，２１５１，２２７１で締め付ける。このねじ２２６１，２１５１，２２７１の代わりにリベット方式を採用してもよい。
【００１９】
本考案に係る緩衝機構２０をきつく締めるように調整したい場合には、図１、図４及び図６に示されるように、ノブ３６が反時計方向に回される。この回転により、前端の非円形の雄ジョイント３６３を経由してコネクタ３４が連動させられ、スクリュー３４２が前へ向かって（ヘッド台座３１側に向かって）移動し、エンドソケット３３の弾性パイプ３２を圧縮させる。これにより、弾性パイプ３２の緩衝弾力が増加される。
【００２０】
ノブ３６の反時計方向の回転と同時に、コネクタ３４が枢設接続台座３５を後ろへ移動させるので、枢設接続台座３５の円柱３５２が後方へ移動し、上，下振れアーム３８，３９の支点が後方へ押され、下受け板２１及び上活動板２２が開けられる。つまり、靴１０のヒール（かかと）１２を広げるので、靴１０の弾性及び緩衝効果を増加するという目的が達せられる。
【００２１】
上述とは逆に、本考案に係る緩衝機構２０を緩めるように調整したい場合には、図１、図４及び図７に示されるように、ノブ３６が時計方向に回される。この回転により、尾端の非円形の雄ジョイント３６３を経由してコネクタ３４が連動させられ、スクリュー３４２が後ろへ向かって移動し、これによりエンドソケット３３の弾性パイプ３２が緩められ、弾性パイプ３２の緩衝弾力が低減される。
【００２２】
ノブ３６の時計方向の回転と同時に、ノブ３６のフランジ３６２が前へ向かって移動し、枢設接続台座３５が押される。枢設接続台座３５の円柱３５２が前方へ移動し、上，下振れアーム３８，３９の支点が前方へ押されるので、下受け板２１及び上活動板２２を収縮させる。つまり、靴１０のヒール（かかと）１２を収縮させるので、靴１０の弾性及び緩衝効果を低減するという目的が達せられる。
【図面の簡単な説明】
【００２３】
【図１】本考案に係る靴の構造を組込んで靴の正面図である。
【図２】本考案に係る靴の構造の緩衝機構の斜視図である。
【図３】本考案に係る緩衝機構の分解斜視図である。
【図４】本考案に係る緩衝機構の分解斜視図である。
【図５】本考案に係る緩衝機構の断面図である。
【図６】本考案に係る緩衝機構をきつく締めるように調整した説明図である。
【図７】本考案に係る緩衝機構を緩めるように調整した説明図である。
【符号の説明】
【００２４】
１０  靴
１１  底部
１２  ヒール（かかと）
２０  緩衝機構
２１  下受け板
２２  上活動板
３０  緩衝コンポーネント
２１１，２１４，２２１，２２４，３９２，３１１，３８２，３９２  軸孔
２１２  ノッチ
２１３  後方横壁（突出横壁）
２２３  突出横壁（後方横壁）
２２２  凹入溝
３１  ヘッド台座
３１２  半径方向パイプ
２２６，２１５，２２７  ホールピン
３８  上振れアーム
３９  下振れアーム
３３  エンドソケット
３４  コネクタ
３５  枢設接続台座
３６  ノブ
３７  セットスクリュー
３１３  スクリューホール
３１４  挿入ジョイント
３２  弾性パイプ
３４１  非円形噛み合う孔
３４２  スクリュー
３５１，３６１，３８１，３９１  貫通孔
３５２  円柱
３６２  フランジ
３６３  雄ジョイント
３７１  ワッシャ
２２６１，２１５１，２２７１  ねじ
【図１】
0003108444.tif 000003
【図２】
0003108444.tif 000004
【図３】
0003108444.tif 000005
【図４】
0003108444.tif 000006
【図５】
0003108444.tif 000007
【図６】
0003108444.tif 000008
【図７】
0003108444.tif 000009